【手続補正書】
【提出日】平成20年11月20日(2008.11.20)
【手続補正１】
【補正対象書類名】明細書
【補正対象項目名】特許請求の範囲
【補正方法】変更
【補正の内容】
【特許請求の範囲】
【請求項１】  複数のデータ入力ポートおよび複数のデータ出力ポートと、
ポートサーバーと、
前記複数のデータ入力ポートの１つからデータフレームを受信し、前記データフレームを複製し、前記複製されたデータフレームを前記複数のデータ出力ポートの１つに送信するデータレプリケータモジュールを備え、
前記複製されたデータフレームは前記受信したデータフレームの少なくとも１つのコピー、及び前記受信したデータフレームを記述するユニークな識別子を含み、
前記ポートサーバーが前記データモニタから少なくとも前記ユニークな識別子を受信してバックアッププロセスを行い、前記バックアッププロセス中に変化したデータフレームを識別し、前記識別されたフレームをバックアップ記憶デバイスに再書き込みするようになっている、データモニタ設備を有し、少なくとも１つのブロックレベルの記憶プロトコルを含むタイプのネットワークスイッチ。
【請求項２】  前記ポートサーバーがメモリを備え、前記データレプリケータモジュールが前記受信したデータフレームを前記ポートサーバーのメモリに加え、前記ポートサーバーが前記バックアップ中に変化したデータフレームを識別し、前記識別されたフレームを前記ポートサーバーから前記バックアップ記憶デバイスに再書き込みするようになっている、請求項１記載のネットワークスイッチ。
【請求項３】  前記ポートサーバーが前記データメモリから前記受信したデータフレームを記述するユニークな識別子を受信するためのメモリを備え、前記ポートサーバーが前記バックアップ中に変化したデータフレームを識別し、前記識別されたフレームを前記データ記憶デバイスから前記バックアップ記憶デバイスに再書き込みするようになっている、請求項１記載のネットワークスイッチ。
【請求項４】  前記ポートサーバーが更に第１の所定の基準が生じたかどうかを判断し、第２の所定の基準が生じるまで実行中のアプリケーションに影響を与えるようになっている、請求項１記載のネットワークスイッチ。
【請求項５】  前記第１の所定の基準が発生した場合に前記アプリケーションを停止する、請求項４記載のネットワークスイッチ。
【請求項６】  前記第１の所定の基準が発生した場合に前記アプリケーションのＩ／Ｏを停止する、請求項４記載のネットワークスイッチ。
【請求項７】  第１の量の所定のデータ量が変化したと識別されることが前記第１の所定の基準であり、前記第２の所定の量のデータが前記データバックアップ記憶アレイに再書き込みされることが第２の所定の基準である、請求項４記載のネットワークスイッチ。
【請求項８】  前記第１の所定の基準がデータフレームの特定の数である、請求項４記載のネットワークスイッチ。
【請求項９】  前記第１の所定の基準が一日のうちの特定の時間である、請求項４記載のネットワークスイッチ。
【請求項１０】  データ入力ポートおよび出力ポートを有するファイバーチャンネルスイッチと、
ポートサーバーと、
前記複数のデータ入力ポートの１つからデータフレームを受信し、前記データフレームを複製し、前記複製されたデータフレームを前記ファイバーチャンネルスイッチの前記複数のデータ出力ポートの１つに送信するデータレプリケータモジュールを備え、
前記複製されたデータフレームは前記受信したデータフレームの少なくとも１つのコピー、及び前記受信したデータフレームを記述するユニークな識別子を含み、
前記ポートサーバーが前記データモニタから少なくとも前記ユニークな識別子を受信してバックアッププロセスを行い、前記バックアッププロセス中に変化したデータフレームを識別し、前記識別されたフレームをバックアップ記憶デバイスに再書き込みするようになっている、ファイバーチャンネルネットワーク。
【請求項１１】  出力ポートを介してデータ記憶デバイスに書き込むよう、入力ポート上のファイバーチャンネルデータフレームを受信するようになっているファイバーチャンネルスイッチを有するタイプのファイバーチャンネルネットワークに関連して使用するための回路であって、
前記データ記憶デバイスからデータボリュームを読み出し、該読み出されたデータボリュームのうちの少なくとも一部のコピーを前記データ記憶バックアップデバイスに書き込むことにより、データ記憶デバイスからのデータをデータ記憶バックアップデバイスにバックアップするためのデータバックアッププロセスを実行するようになっているポートサーバーと、
ファイバーチャンネルスイッチの出力ポートからファイバーチャンネルデータフレームを受信し、前記データフレームを前記データ記憶デバイス、及び、少なくとも前記受信したファイバーチャンネルデータフレームを記述するユニークな識別子を前記ポートサーバーに加えるためのデータレプリケータモジュールとを備え、
前記ポートサーバーが前記データレプリケータモジュールにより前記ポートサーバーに送られた前記受信したファイバーチャンネルデータフレームを記述する前記ユニークな識別子によって表示される、前記バックアッププロセス中に変化した前記ボリューム内のフレームを識別し、前記データ記憶デバイスから前記識別されたフレームを再読み出しし、前記再読み出しされたフレームを前記データ記憶バックアップデバイスに書き込むようになっている回路。
【請求項１２】  前記ポートサーバーが更に第１の所定の基準が生じたかどうかを判断し、第２の所定の基準が生じるまで実行中のアプリケーションに影響を与えるようになっている、請求項１１記載の回路。
【請求項１３】  前記第１の所定の基準が発生した場合に前記アプリケーションを停止する、請求項１２記載の回路。
【請求項１４】  前記第１の所定の基準が発生した場合に前記アプリケーションのＩ／Ｏを停止する、請求項１２記載の回路。
【請求項１５】  第１の量の所定のデータ量が変化したと識別されることが前記第１の所定の基準であり、前記第２の所定の量のデータが前記データバックアップ記憶アレイに再書き込みされることが第２の所定の基準である、請求項１１記載の回路。
【請求項１６】  前記第１の所定の基準がデータフレームの特定の数である、請求項１２記載の回路。
【請求項１７】  前記第１の所定の基準が一日のうちの特定の時間である、請求項１２記載の回路。
【請求項１８】  前記データフレームを前記データ記憶デバイス、及び、少なくとも前記受信したファイバーチャネルデータフレームを記述するユニークな識別子を前記ポートサーバーに加え、
前記ポートサーバーはさらに、これに加えられる前記ファイバーチャネルデータフレームをセーブするためのポートサーバーメモリを備え、前記ポートサーバーが前記データモニタにより前記ポートサーバーに送られたデータフレームによって表示される、前記バックアッププロセス中に変化した前記ボリューム内のフレームを識別し、前記ポートサーバーメモリからの前記識別されたフレームを前記データ記憶バックアップデバイスに書き込むようになっている、請求項１１記載の回路。
【請求項１９】  前記ポートサーバーが変化した第１の所定の量のデータが識別されたかどうかを判断し、前記ポートサーバーメモリから前記データ記憶バックアップデバイスに第２の所定量のデータが書き込まれるまで、実行中のアプリケーションを停止させるようになっている、請求項１８記載の回路。
【請求項２０】  前記第１の所定の基準がデータフレームの特定の数である、請求項１８記載の回路。
【請求項２１】  前記第１の所定の基準が一日のうちの特定の時間である、請求項１８記載の回路。
【請求項２２】  前記第１の所定の基準が発生した場合に前記アプリケーションを停止する、請求項１９記載の回路。
【請求項２３】  前記第１の所定の基準が発生した場合に前記アプリケーションのＩ／Ｏを停止する、請求項１９記載の回路。
【請求項２４】  出力ポートを介してデータ記憶デバイスに書き込むよう、入力ポートでファイバーチャンネルデータフレームを受信するようになっているファイバーチャンネルスイッチを有するタイプのファイバーチャンネルネットワークに関連してデータをバックアップするための方法であって、
データ記憶デバイスおよび前記ポートサーバーを含むデータフレームグループを形成するためのコマンドを、ポートサーバーから前記ファイバーチャンネルスイッチへ発生する工程を備え、ファイバーチャンネルデータフレームが前記ファイバーチャンネルスイッチの前記出力ポートから前記データ記憶デバイスに書き込まれ、少なくとも前記受信したファイバーチャンネルデータフレームを記述するユニークな識別子が前記ポートサーバーに書き込まれるようになっており、
更に前記データ記憶デバイスの少なくとも一部内のデータを前記データ記憶バックアップデバイスにバックアップするためのデータバックアッププロセスを前記ポートサーバーに実行させる工程を備え、前記ポートサーバーを作動させる工程が、
前記データ記憶デバイスから所定のデータボリュームを読み出し、前記読み出したデータボリュームのバックアップコピーを前記データ記憶バックアップデバイスに書き込む工程と、
前記データ記憶デバイスから読み出し、バックアップすべき所定のデータボリューム内にある、前記ポートサーバーに書き込まれたファイバーチャンネルデータフレームを識別する工程と、
前記データ記憶デバイスから前記識別されたファイバーチャンネルフレームを再読み出しし、前記再読み出しされたファイバーチャンネルを前記データ記憶バックアップデバイスに書き込む工程とを備えた、データをバックアップするための方法。
【請求項２５】  出力ポートを介してデータ記憶デバイスに書き込むよう、入力ポートでファイバーチャンネルデータフレームを受信するようになっているファイバーチャンネルスイッチを有するタイプのファイバーチャンネルネットワークに関連してデータをバックアップするための方法であって、
データ記憶デバイスおよび前記ポートサーバーを含むデータフレームグループを形成するためのコマンドを、ポートサーバーから前記ファイバーチャンネルスイッチへ発生する工程を備え、ファイバーチャンネルデータフレームが前記ファイバーチャンネルスイッチの前記出力ポートから前記データ記憶デバイスに書き込まれ、前記データフレームのうちの少なくともフレーム識別部分が前記ポートサーバーに書き込まれるようになっており、
更に前記データ記憶デバイスの少なくとも一部内のデータをデータ記憶バックアップデバイスにバックアップするためのデータバックアッププロセスを前記ポートサーバーに実行させる工程を備え、前記ポートサーバーを作動させる工程が、
前記データ記憶デバイスから所定のデータボリュームを読み出し、前記読み出したデータボリュームのバックアップコピーを前記データ記憶バックアップデバイスに書き込む工程と、
前記データ記憶デバイスから読み出し、バックアップすべき所定のデータボリューム内にある、前記ポートサーバーに書き込まれたファイバーチャンネルデータフレームを識別する工程と、
前記識別されたファイバーチャンネルフレームを前記ポートサーバーから前記データ記憶バックアップデバイスに書き込む工程とを備えた、データをバックアップするための方法。
【請求項２６】  前記ファイバーチャンネルスイッチにおいて、前記ポートサーバーから前記ファイバーチャンネルスイッチへの前記コマンドを受信し、前記ポートサーバーとデータ記憶デバイスを含むデータフレーム群を生成する工程と、
前記ファイバーチャンネルスイッチにおいて、受信したデータフレームを記述するユニークな識別子を生成する工程と、
少なくとも前記受信したユニークな識別子を前記ポートサーバーに対して送信する工程と、をさらに有する請求項２４記載の方法。
【請求項２７】  前記ファイバーチャンネルスイッチにおいて、前記ポートサーバーから前記ファイバーチャンネルスイッチへの前記コマンドを受信し、前記ポートサーバーとデータ記憶デバイスを含むデータフレーム群を生成する工程と、
前記ファイバーチャンネルスイッチにおいて、データフレームの少なくとも1つのコピーを生成する工程と、
データフレームの少なくとも1つのコピーを前記ポートサーバーに対して送信する工程と、をさらに有する請求項２５記載の方法。